(57)【要約】【課題】複数の子機を選択して聴取を行う場合に、親機のスピーカーから出力される音声がどの子機により入力されたのかを医療従事者が容易に判別できるようにする。【解決手段】選局ユニット２０の選択部２３にて子機を選択し、選択した子機のうち、所定のレベル以上の音声を入力している子機マイクロホンを備えた子機を特定して、選局ユニット２０の表示部２４を点滅させるようにしている。これにより、所定のレベル以上の音声を入力した子機マイクロホンを備えた子機が表示されるので、選択された子機の中から子機マイクロホンにて所定のレベル以上の音声を入力した子機を絞り込むことができる。従って、医療従事者は親機スピーカーから出力される音声がどの子機により入力されたのかを容易に判別することができる。【選択図】図２
2012029798.tif 000002
【特許請求の範囲】
【請求項１】
患者の居る病床の近傍に設置され、その病床の周囲の音声を入力する子機マイクロホンと、前記子機マイクロホンにて入力された音声を音声信号として出力する子機インターフェースとを備えたナースコール子機と、
前記子機インターフェースに接続され、前記音声信号を入力する親機インターフェースと、前記親機インターフェースに接続されているナースコール子機の中から任意のナースコール子機を選択するために操作される選択部と、前記親機インターフェースが入力した音声信号を音声として出力する親機スピーカーと、ナースコール子機を識別可能に表示する表示部と、前記選択部により選択されたナースコール子機から出力された音声信号を前記親機インターフェースにより入力させ、入力した音声信号の中から所定のレベル以上の音声信号を抽出して、その音声信号を出力したナースコール子機を特定して前記表示部に表示させる親機制御部とを備えたナースコール親機と、
を備えたことを特徴とするナースコールシステム。
【請求項２】
前記ナースコール親機は、前記所定のレベルを可変するレベル可変部を備えたことを特徴とする請求項１に記載のナースコールシステム。
【発明の詳細な説明】
【技術分野】
【０００１】
本発明は、患者から看護師などの医療従事者を呼び出しを行うナースコールシステムに関し、特に、医療従事者が患者の様子を確認するための聴取機能を備えたナースコールシステムに関する。
【背景技術】
【０００２】
一般的に、ナースコールシステムは、呼出ボタンを有するナースコール子機を各病室内の各病床の近傍に設置するとともに、看護師などの医療従事者が常駐するナースステーションにナースコール親機を設置している。そして、患者がナースコール子機の呼出ボタンを操作した場合に、ナースコール子機からナースコール親機へ呼出信号を出力し、呼出信号を入力したナースコール親機にて呼び出しの発生を報知するように構成されている。ここで、ナースコールシステムは、病院だけではなく、介護施設などでも使用される。
【０００３】
ナースコール親機には、ＬＥＤ（light-emitting  diode）などのランプと患者氏名を表示する表示欄とを備えた選局部を患者の数に応じて組み合わせたボード形状のものが知られている。ボード形状のナースコール親機は、ナースステーションの壁面などに取り付けられ、ナースステーション内の医療従事者がボード形状のナースコール親機に表示された情報を閲覧することが可能である。ここで、ナースコール子機から出力された呼出信号を入力したナースコール親機では、呼出信号に含まれ、ナースコール子機を識別するための子機識別情報により呼び出しを行ったナースコール子機を特定する。そして、特定されたナースコール子機を使用している患者に対応する選局部のランプを点灯または点滅させることで呼び出しの発生の報知を行っている。また、呼び出しの発生の報知は、選局部のランプの点灯／点滅だけではなく、スピーカーから出力される音声によっても行われる。
【０００４】
このように、ナースコール親機にて呼び出しの発生が報知されると、これに気付いた医療従事者が応答する必要がある。そのため、ナースコール親機には、呼び出しの発生の報知に応答するためのハンドセットが設けられている。呼び出しの発生が報知されている場合に、医療従事者がハンドセットをオフフックすると、呼び出しの発生の報知が停止し、ナースコール親機とナースコール子機（またはナースコール子機が設置された病室）との間で通話路が形成される。ここで、ナースコール子機（または病室）には、通話用のスピーカーやマイクが設けられているため、患者と医療従事者との間で通話が可能となる。
【０００５】
ところで、ナースコール子機とナースコール親機との間で通話が可能であることを利用して、任意のナースコール子機または全てのナースコール子機を選択して、そのナースコール子機に設けられているマイクから入力した音声をナースコール親機のスピーカーから出力することで、患者の様子を聴取する技術が知られている（例えば、特許文献１など）。この特許文献１に記載の技術によれば、病床選択ボタンにより選択された病床のナースコール子機を順次切り換えて、ナースコール子機から入力した音声をナースコール親機のスピーカーから出力するようにしている。
【０００６】
しかしながら、特許文献１に記載の技術では、聴取するナースコール子機を順次切り換えているため、多くのナースコール子機が選択された場合には、聴取が完了するまでに多大な時間がかかってしまうという問題があった。このような問題を解決するための技術として、選択されたナースコール子機から入力した音声をナースコール親機のスピーカーから一斉に出力する、いわゆる一斉聴取と呼ばれるものが知られている。
【先行技術文献】
【特許文献】
【０００７】
【特許文献１】特開２００６−１２９２２９号公報
【発明の概要】
【発明が解決しようとする課題】
【０００８】
しかしながら、上述した従来技術では、スピーカーから出力された音声を聴いた医療従事者が、その音声がどのナースコール子機のマイクに入力した音声であるかを判別することが困難になってしまうという問題があった。
【０００９】
本発明は、このような問題を解決するために成されたものであり、ナースコール親機にて複数のナースコール子機を選択して聴取を行う場合に、ナースコール親機のスピーカーから出力される音声がどのナースコール子機により入力されたのかを医療従事者が容易に判別できるようにすることを目的とする。
【課題を解決するための手段】
【００１０】
上述した課題を解決するために、本発明では、ナースコール親機にてナースコール子機を選択し、選択したナースコール子機のうち、所定のレベル以上の音声を入力しているマイクを備えたナースコール子機を特定して、ナースコール親機に表示するようにしている。
【００１１】
また、本発明の他の態様によれば、ナースコール親機にて所定のレベルを可変させるようにしている。
【発明の効果】
【００１２】
上記のように構成した本発明によれば、所定のレベル以上の音声を入力したマイクを備えたナースコール子機がナースコール親機にて表示されるので、ナースコール親機にて選択されたナースコール子機の中からマイクにて所定のレベル以上の音声を入力したナースコール子機を絞り込むことができる。従って、医療従事者はナースコール親機のスピーカーから出力される音声がどのナースコール子機により入力されたのかを容易に判別することができる。
【００１３】
また、本発明の他の態様によれば、所定のレベル以上の音声を入力したマイクを設けたナースコール子機が多数存在する場合には、所定のレベルを大きな値に変更することで、マイクにて所定のレベル以上の音声を入力したナースコール子機をより絞り込むことができる。また、所定のレベル以上の音声を入力したマイクを設けたナースコール子機が全く存在しない場合には、所定のレベルを小さな値に変更することで、対象となるナースコール子機を増やすことができる。
【図面の簡単な説明】
【００１４】
【図１】本実施形態によるナースコールシステムの構成例を示すブロック図である。
【図２】本実施形態によるナースコールシステムのナースコール親機の選局部の例を示す図である。
【発明を実施するための形態】
【００１５】
以下、本発明の一実施形態を図面に基づいて説明する。図１は、本実施形態によるナースコールシステムの構成例を示すブロック図である。図１に示すナースコールシステムは、患者の病床近傍に設置され、病室内に居る患者によって使用されるナースコール子機１と、医療従事者が常駐するナースステーションなどに設置され、医療従事者によって使用されるナースコール親機１０とを備えて構成されている。ここで、ナースコール子機１は、各病室内に病室内の病床数に応じて設置されている。
【００１６】
また、ナースコール子機１は、子機制御部２、呼出操作部３、子機音声通信部４、子機マイクロホン５、子機スピーカー６、子機インターフェース７を備えて構成されている。また、ナースコール親機１０は、親機制御部１１、親機インターフェース１２、記憶部１３、操作部１４、報知部１５、親機音声通信部１６、親機マイクロホン１７、親機スピーカー１８、選局部１９を備えて構成されている。
【００１７】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、呼出ボタンなどにより構成されている。患者は、医療従事者を呼び出したい場合に、呼出操作部３を操作する。すると、子機制御部２は、呼出信号を生成する。ここで、呼出信号には、このナースコール子機１を他のナースコール子機１と識別するための子機識別情報が含まれる。また、子機識別情報としては、ベッド番号などの情報を用いる。
【００１８】
子機音声通信部４は、ナースコール子機１とナースコール親機１０との間で通話路が形成された場合に、子機マイクロホン５が集音した音声信号を増幅および変調する。また、子機音声通信部４は、ナースコール子機１とナースコール親機１０との間で通話路が形成された場合に、ナースコール親機１０から入力した音声信号を復調および増幅して子機スピーカー６から音声として拡声出力する。ここで、子機制御部２は、ナースコール子機１からナースコール親機１０への片側のみの通話路を形成することもできる。
【００１９】
子機インターフェース７は、ナースコール子機１とナースコール親機１０とを接続して通信を行うためのものである。ここで、子機インターフェース７は、子機制御部２により生成された呼出信号をナースコール親機１０に出力する。また、ナースコール子機１とナースコール親機１０との間で通話路が形成されている場合に、子機インターフェース７は、子機音声通信部４にて増幅および変調された音声信号をナースコール親機１０へ送信し、ナースコール親機１０から音声信号を受信する。また、ナースコール子機１とナースコール親機１０との間の通信は、有線や無線によって行われる。
【００２０】
また、ナースコール子機１とナースコール親機１０との間には、ナースコール子機１からの呼び出しを表示したり、病室内の患者の氏名などを表示したりする図示しない廊下灯が接続されている。また、ナースコール子機１とナースコール親機１０との間には、ナースコール子機１およびナースコール親機１０間の通話やデータの送受信に関する制御を行う図示しない制御機が接続されている。
【００２１】
次に、ナースコール親機１０の各構成要素について説明する。親機制御部１１は、ナースコール親機１０の各構成要素を後述するように制御するためのものであり、ＣＰＵなどにより構成されている。親機インターフェース１２は、ナースコール親機１０とナースコール子機１とを接続して通信を行うためのものである。ここで、親機インターフェース１２は、ナースコール子機１から出力された呼出信号を入力する。また、ナースコール子機１とナースコール親機１０との間で通話路が形成されている場合に、親機インターフェース１２は、ナースコール子機１へ音声信号を送信し、ナースコール子機１から音声信号を受信する。ここで、親機インターフェース１２は、ナースコール子機１から音声信号を入力する場合に、その音声信号がどのナースコール子機１から出力されたのかを区別している。
【００２２】
記憶部１３は、メモリやハードディスクドライブなどの記憶装置により構成されており、ナースコール親機１０に接続されているナースコール子機１の子機識別情報（ベッド番号情報）と後述する選局部１９における選局ユニット２０の位置を示す位置情報とを関連付けて記憶している。また、記憶部１３は、親機インターフェース１２がナースコール子機１から入力する音声信号が話し声であるか否かを判別するための所定のレベルの値を記憶している。操作部１４は、聴取機能を開始するために操作されるものである。また、操作部１４は、記憶部１３に記憶されている所定のレベルの値の設定を行うために操作されるものである。操作部１４により設定された所定のレベルの値は、記憶部１３に記憶される。なお、所定のレベルの値を固定値とする場合には、所定のレベルの値を設定するための機能を操作部１４に持たせる必要は無い。
【００２３】
報知部１５は、ナースコール子機１からの呼び出しを報知するためのものであり、スピーカーや表示装置などによって構成されている。親機インターフェース１２がナースコール子機１から呼出信号を入力すると、親機制御部１１は報知部１５を動作させて、スピーカーから報知音を出力させたり、表示装置に報知の内容を表示させたりして報知を行わせる。報知部１５によって報知が行われている場合に、医療従事者が図示しないハンドセットなどによって応答すると、ハンドセットがオフフックされてナースコール親機１０とナースコール子機１との間で通話路が形成される。
【００２４】
親機音声通信部１６は、ナースコール親機１０とナースコール子機１との間で通話路が形成された場合に、親機マイクロホン１７が集音した音声信号を増幅および変調する。また、親機音声通信部１６は、ナースコール親機１０とナースコール子機１との間で通話路が形成された場合に、ナースコール子機１から入力した音声信号を復調および増幅して親機スピーカー１８から音声として拡声出力する。
【００２５】
選局部１９は、図２に示すように、患者にそれぞれ対応する選局ユニット２０を縦横に組み合わせて形成されている。各選局ユニット２０には、その患者が使用するベッド番号を表示するベッド番号表示欄２１と、表面に少なくとも患者の氏名を記載した氏名カードを着脱自在に装着する氏名カード装着部２２と、選局ユニット２０を選択するための選択部２３と、ＬＥＤなどのランプにより構成される表示部２４とを備えて構成されている。ここで、表示部２４は、報知部１５の報知と同期して点滅することにより、患者から呼び出しがあったことを報知する。また、記憶部１３には、呼出信号に含まれる子機識別情報に関連付けて選局ユニット２０の位置情報が記憶されているので、呼び出しを行った患者の選局ユニット２０に設置されている表示部２４のみが点滅する。従って、表示部２４が点滅すると、その表示部２４に対応するベッド番号表示欄２１や氏名カード装着部２２に装着された氏名カードを見た医療従事者は、どの患者が呼び出しを行ったのかを容易に把握することができる。
【００２６】
このように構成されたナースコールシステムにおいて、聴取を行う際の動作を説明する。ナースコール親機１０の親機制御部１１は、選局部１９の選択部２３が操作されたか否かを判定する。医療従事者は、聴取を行いたい患者を、選択部２３を操作することで選択する。なお、全ての患者を一斉に選択するための一斉選択部を設けるようにしても良い。この状態で、親機制御部１１は、操作部１４により聴取開始の操作が行われたか否かを判定する。選択部２３による選択が終了すると、医療従事者は操作部１４を操作する。すると、親機制御部１１は、記憶部１３を参照して、選択部２３が操作された選局ユニット２０の位置情報に関連付けて記憶されている子機識別情報によって特定されるナースコール子機１との間で通話路を形成する。この場合の通話路は、ナースコール子機１からナースコール親機１０への片側のみのものである。また、図２に示す例では、ベッド番号１０１−１、１０１−２、１０１−３、１０１−４の選局ユニット２０が選択部２３により選択された場合に、親機制御部１１は、選択された選局ユニット２０の表示部２４を点灯させる。
【００２７】
ナースコール子機１とナースコール親機１０との間で通話路が形成された場合に、選択されたナースコール子機１の子機音声通信部４は、子機マイクロホン５が集音した音声信号を増幅および変調する。子機インターフェース７は、増幅および変調された音声信号を出力する。親機インターフェース１２は、選択されたナースコール子機１から音声信号をそれぞれ入力する。
【００２８】
親機制御部１１は、親機インターフェース１２が入力した音声信号を親機音声通信部１６に出力する。親機音声通信部１６は、親機制御部１１から入力した音声信号を復調および増幅して親機スピーカー１８から音声としてまとめて拡声出力する。また、親機制御部１１は、親機インターフェース１２が入力した音声信号の値と、記憶部１３に記憶されている所定のレベルとを比較し、音声信号の値が所定のレベル以上であると判定されたナースコール子機１を特定する。親機制御部１１は、記憶部１３を参照して、特定されたナースコール子機１の子機識別情報に関連付けて記憶されている選局ユニット２０の位置情報を抽出する。そして、親機制御部１１は、抽出した選局ユニット２０の表示部２４を点滅させる。
【００２９】
すなわち、聴取が行われているナースコール子機１に対応する選局ユニット２０の表示部２４は点灯し、所定のレベル以上の音声信号を入力している子機マイクロホン５を備えたナースコール子機１に対応する選局ユニット２０の表示部２４は点滅することになる。なお、本実施形態では、聴取が行われている選局ユニット２０の表示部２４を点灯さえ、所定のレベル以上の音声信号を入力している選局ユニット２０の表示部２５を点滅させているが、これに限定されない。例えば、点滅と点灯を逆にしたり、点滅や点灯の色を異ならせたりすることで、両者を区別するようにしても良い。
【００３０】
以上詳しく説明したように、本実施形態によれば、ナースコール親機１０の選局ユニット２０の選択部２３にてナースコール子機１を選択し、選択したナースコール子機１のうち、所定のレベル以上の音声を入力している子機マイクロホン５を備えたナースコール子機１を特定して、ナースコール親機１０の選局ユニット２０の表示部２４を点滅させるようにしている。これにより、所定のレベル以上の音声を入力した子機マイクロホン５を備えたナースコール子機１が表示されるので、選択されたナースコール子機１の中から子機マイクロホン５にて所定のレベル以上の音声を入力したナースコール子機１を絞り込むことができる。従って、医療従事者はナースコール親機１０の親機スピーカー１８から出力される音声がどのナースコール子機１により入力されたのかを容易に判別することができる。
【００３１】
なお、前述した実施形態では、所定のレベルの値を操作部１４にて予め設定しているが、これに限定されない。例えば、所定のレベルの値を聴取中に変更できるようにしても良い。具体的には、所定のレベル以上の音声信号を出力しているナースコール子機１が多数存在するような場合に、操作部１４を操作して、所定のレベルの値を大きく変更すると、新たに設定された所定のレベル以上の音声信号を出力しているナースコール子機１の数を絞り込むことができる。また、所定のレベル以上の音声信号を出力しているナースコール子機１が全く存在しないような場合に、操作部１４を操作して、所定のレベルの値を小さく変更すると、新たに設定された所定のレベル以上の音声信号を出力しているナースコール子機１を増やすことができる。
【００３２】
また、前述した実施形態では、表示部２４は選局ユニット２０に設けられているが、これに限定されない。例えば、表示ディスプレイなどの表示装置により表示部２４を構成するようにしても良い。
【００３３】
また、前述した実施形態では、選択部２３と表示部２４とを別体としているが、これに限定されない。例えば、一般的なボード形状のナースコール親機１０と同様に、選択部２３と表示部２４とを一体的としても良い。
【００３４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３５】
１    ナースコール子機
２    子機制御部
３    呼出操作部
４    子機音声通信部
５    子機マイクロホン
６    子機スピーカー
７    子機インターフェース
１０    ナースコール親機
１１    親機制御部
１２    親機インターフェース
１３    記憶部
１４    操作部
１５    報知部
１６    親機音声通信部
１７    親機マイクロホン
１８    親機スピーカー
１９    選局部
２０    選局ユニット
２１    ベッド番号表示欄
２２    氏名カード装着部
２３    選択部
２４    表示部
【図１】
2012029798.tif 000003
【図２】
2012029798.tif 000004